(57)【特許請求の範囲】
【請求項１】
ケースと、該ケースに収納されたスイッチと、多方向に傾倒可能で、前記多方向のそれぞれの方向への傾倒動作によって、前記スイッチを切り換え操作するひとつの操作部材と、該操作部材の前記それぞれの方向への傾倒動作によって隣り合ういずれか２つが操作される複数の第１ゴムドーム、及び該隣り合う第１ゴムドームの間に配置される第２ゴムドームとを備え、前記操作部材の前記それぞれの方向への傾倒時、前記いずれか２つの第１ゴムドーム及びその間に位置する前記第２ゴムドームが座屈することにより前記操作部材にクリック感を生じさせるように構成し、更に前記第２ゴムドームの移動可能距離が前記第１ゴムドームの移動可能距離よりも長い距離を有するようにすることによって、前記操作部材を押圧し、前記いずれか２つの第１ゴムドームと前記第２ゴムドームが座屈した後、前記いずれか２つの第１ゴムドームの押圧部の下面が前記ケースに設けた凹部の底面に当接するに至った時も前記第２ゴムドームの押圧部の下面は、前記凹部の底面に当接しないようにしたことを特徴とする多方向スイッチ装置。
【請求項２】
それぞれの方向への傾倒時、前記いずれか２つの第１ゴムドーム、さらにその間に位置する前記第２ゴムドームが同時に座屈することを特徴とする請求項１記載の多方向スイッチ装置。
【請求項３】
前記操作部材は、十字状の４方向への傾倒可能で、前記操作部材の十字状の傾倒動作方向の中間部において、十字状に配置された４個の前記第１ゴムドームと、隣り合う前記第１ゴムドームのそれぞれの間に１個づつ配置された４個の前記第２ゴムドームとを備え、前記第１ゴムドームと前記第２ゴムドームとが同一円周上の位置に配置され、前記操作部材の前記十字状の４方向のうちの一方向への傾倒動作によってふたつの前記第１ゴムドームとひとつの前記第２ゴムドームとが操作されることを特徴とする請求項１記載の多方向スイッチ装置。
【請求項４】
前記操作部材は、十字状の４方向への傾倒で、前記操作部材の十字状の傾倒動作方向の中間部において、十字状に配置された４個の前記第１ゴムドームと、隣り合う前記第１ゴムドームのそれぞれの間に１個づつ配置された４個の前記第２ゴムドームとを備え、それぞれ前記４個の第２ゴムドームがそれぞれ隣り合う前記第１ゴムドームを結ぶ直線上に配置され、前記操作部材の前記十字状の４方向のうちの一方向への傾倒動作によってふたつの前記第１ゴムドームとひとつの前記第２ゴムドームとが操作されることを特徴とする請求項１記載の多方向スイッチ装置。
【請求項５】
それぞれ前記４個の第２ゴムドームが前記４個の第１ゴムドームのそれぞれの間の中間部の位置に配置されていることを特徴とする請求項３、又は４記載の多方向スイッチ装置。
【請求項６】
前記ケースを箱状に形成し、該ケース内に前記複数のスイッチを位置し、ケース上壁の凹部に前記操作部材と対向させて前記第１、第２ゴムドームを配置したことを特徴とする請求項１記載の多方向スイッチ装置。
【発明の詳細な説明】
【０００１】
【発明の属する技術分野】
本発明は、特に、車両の電動ウインドミラー装置に用いて好適な多方向スイッチ装置に関する。
【０００２】
【従来の技術】
従来の多方向スイッチ装置の図面を説明すると、図７は、従来の多方向スイッチ装置を示す平面図、図８は、図７の８ー８線における断面図、図９は、従来の多方向スイッチ装置に係わり、弾性スプリング部材を示す図７の９ー９線における断面図、図１０は、図７の１０ー１０線における断面図である。
【０００３】
合成樹脂材料から成り、箱形のケース５１は、上壁５１ａと、上壁５１ａの外周縁の近傍から垂直に延設され、周囲を囲む側壁５１ｂと、上壁５１ａの左上方側に設けられた略四角形の凹部５１ｃと、凹部５１ｃの四隅に設けられた溝部５１ｄと、凹部５１ｃの中央部に設けられた貫通孔５１ｅとを有している。また、この貫通孔５１ｅは、十字状の矩形であるように形成され、貫通孔５１ｅの外表面部には、円弧状であって、半球状の受け部５１ｆが設けられている。
【０００４】
また、ケース５１内には、上壁５１ａからケース５１内に垂直に延設された仕切板５１ｇが設けられ、この仕切板５１ｇによって、ケース５１内には、第１収納部５１ｈと第２収納部５１ｉとが隣り合わせに設けられると共に、第２収納部５１ｉ上に位置する上壁５１ａには、貫通孔５１ｊが設けられている。
【０００５】
弾性ゴム材料から成り、略四角形の弾性スプリング部材５２は、十字状の四隅にそれぞれ設けられた４個のゴムドーム５２ａと中央部に設けられた円形の貫通孔５２ｂとを有し、このゴムドーム５２ａは、略円柱状の押圧部５２ｃと、押圧部５２ｃを保持する円錐状部５２ｄと、円錐状部５２ｄを保持する略四角形の基台部５２ｅと、基台部５２ｅの外周縁から下方に突出する突出部５２ｆとを有している。また、押圧部５２ｃの下面は、円錐状部５２ｄ内に突出して配設されている。
【０００６】
また、この弾性スプリング部材５２は、ケース５１の凹部５１ｃ内に配設され、この状態のとき、弾性スプリング部材５２の突出部５２ｆがケース５１の溝部５１ｄ内に挿入・配置され、これによって、弾性スプリング部材５２がケース５１に位置決めされる。
【０００７】
また、この状態のとき、弾性スプリング部材５２の貫通孔５２ｂ内にケース５１の貫通孔５１ｅが位置決めされている。
また、このゴムドーム５２ａの押圧部５２ｃの下面と円錐状部５２ｄの下面との間の距離Ｌ３は、比較的短い距離であるように形成され、ゴムドーム５２ａの押圧部５２ｃに押圧力が加えられると、この押圧力によって、押圧部５２ｃが下方に押圧され、そして円錐状部５２ｄが座屈して、押圧部５２ｃが上壁５１ａに当接する。そして、距離Ｌ３が比較的短い距離であることから円錐状部５２ｄは小さなストロークと成っている。
【０００８】
合成樹脂材料から成る操作部材５３は、略円形であって、操作部５３ａと、操作部５３ａの外周縁部から略垂直に延設された周縁部５３ｂと、操作部５３ａの外周縁部の近傍から下方に突出し、十字状のそれぞれの位置に設けられた４個の突起部５３ｃと、操作部５３ａの中央部から下方に突出する四角柱状の駆動部５３ｄとを有している。また、四角柱状の駆動部５３ｄの中間部の対向する面には、一対の凹部５３ｅが設けられ、駆動部５３ｄの付け根部には、半球状の凹部を有する支持部５３ｆが設けられている。
【０００９】
この操作部材５３の駆動部５３ｄは、前記ケース５１の貫通孔５１ｅ内に挿通され、ケース５１の受け部５１ｆ上に操作部材５３の支持部５３ｆが載置された状態に保持される。この状態のとき、操作部材５３の４個設けられた突起部５３ｃは、それぞれ４個のゴムドーム５２ａの押圧部５２ｃと対向し、圧接（当接）されて配設されている。
【００１０】
そして、この操作部材５３は、その駆動部５３ｄがケース５１の十字状に形成された貫通孔５１ｅ内に挿通されて、操作部材５３の中心を通る第１直線Ｘ１と、中心を通り、第１直線Ｘ１に直交する第２直線Ｙ１の互いに直交する方向である十字状の４方向に傾倒動作可能となっている。また、操作部材５３がケース５１に挿通された際、４個のゴムドーム５２ａは、操作部材５３の傾倒動作方向である第１直線Ｘ１、及び第２直線Ｙ１の間で中間部にそれぞれ配置された状態にあって、操作部材５３の各方向への傾倒動作によって、傾倒方向側に配設された隣り合う２個の突起部５３ｃが当接された２個のゴムドーム５２ａの押圧部５２ｃを下方に押し下げ、この押し下げによって、２個の円錐状部５２ｄが座屈し、この円錐状部５２ｄの座屈によって、操作部材５３の操作者にクリック感を生じせしめることになる。
【００１１】
また、成型品から成る操作部材５３の突起部５３ｃの平滑な下面と、ゴムドーム５２ａの押圧部５２ｃの平滑な上面とは、常時、圧接されて密着状態となっているため、この傾倒動作時、突起部５３ｃは、密着状態で押圧部５２ｃを押圧するため円錐状部５２ｄが矢印Ｚ方向に押されながら座屈して、クリック感が悪くなる。
【００１２】
合成樹脂材料から成るホルダー５４は、略半球状の基部５４ａと、基部５４ａの中央部に設けられた四角形の貫通孔５４ｂと、基部５４ａの中央部に対向する一対の弾性爪部５４ｃとを有している。
このホルダー５４の貫通孔５４ｂ内に操作部材５３の駆動部５３ｄが挿通され、弾性爪部５４ｃが駆動部５３ｄの凹部５３ｅにスナップイン係合され、このスナップイン係合によって、操作部材５３がケース５１の上壁５１ａ上に抜け止めされ、且つ、位置決めされている。
【００１３】
また、この状態で操作部材５３は、ケース５１の上壁５１ａに対して、十字状の４方向に傾倒動作できるように取り付けられている。
【００１４】
スライド型のスイッチ５５は、合成樹脂材料から成る略矩形のスライダー５６と、スライダー５６の下面に取り付けられた複数組の可動接点５７と、可動接点５７に対向する位置に設けられたプリント配線基板５８と、プリント配線基板５８上に形成され、可動接点５７が接離する複数組の固定接点（図示せず）とから構成されている。
【００１５】
また、スイッチ５５のスライダー５６は、中央部に四角形の貫通孔５６ａと、可動接点５７とコイルバネ６３とを収容する凹部５３ｂとを有し、この貫通孔５６ａ内には、前記操作部材５３の駆動部５３ｄが挿通されていると共に、プリント配線基板５８がケース５１の下部の開放部を覆うように取り付けられている。そして、前記操作部材５３の十字状の４方向への傾倒動作によって、スライダー５６がプリント配線基板５８に対して水平で、十字状の４方向に駆動され、このスライダー５６の駆動によって、固定接点（図示せず）上を可動接点５７が接離し、スイッチ５５の接点の切り換え動作をするように構成されている。
そして、このスイッチ５５は、ケース５１の第１収納部５１ｈ内に収納・配置されている。
【００１６】
第２のスライド型のスイッチ６０は、合成樹脂材料から成る略矩形のスライダー６０ａと、スライダー６０ａの下面に取り付けられた複数組の可動接点６０ｂと、可動接点６０ｂに対向する位置に設けられたプリント配線基板５８と、プリント配線基板５８上に形成され、可動接点６０ｂが接離する複数組の固定接点（図示せず）とから構成されている。
【００１７】
また、スイッチ６０のスライダー６０ａは、中央部に外方に突出する突出部６０ｃと、可動接点６０ｂとコイルバネ６４とを収容する凹部６０ｄとを有している。また、このスイッチ６０は、第２収納部５１ｉ内に収納・配置されている。
合成樹脂材料から成る操作ツマミ６２は、ケース５１の上壁５１ａの貫通孔５１ｊに挿入された状態でに適宜手段によって取り付けられ、この操作ツマミ６２の操作によって、第２のスライド型のスイッチ６０が操作されるように構成されている。
【００１８】
合成樹脂材料から成る底壁部材５９は、底壁５９ａと、底壁５９ａの外周縁の所定の個所から垂直に延設された側壁５９ｂとを有している。この底壁部材５９の底壁５９ａは、プリント配線基板５８の下部に載置され、また、この底壁部材５９は、ケース５１の側壁５１ｂの開放端部にスナップイン係合などの適宜手段にて取り付けられている。
【００１９】
コネクタ６１は、絶縁性の保持体６１ａと、この保持体６１ａに保持された端子部６１ｂとを有し、この端子部６１ｂがプリント配線基板５８の固定接点（図示せず）に電気的に接続された状態でケース５１に取り付けられ、スイッチ５５、６０の接点の切換動作がコネクタ６１を介して外部の電気装置に出力される。
【００２０】
次に、この従来の多方向スイッチの動作について説明する。
先ず、図７に示す操作部材５３の第２直線Ｙ１上の左方向（Ａ点）の位置を押圧して、操作部材５３を傾倒動作すると、Ａ点を挟んで両側に位置する２個のゴムドーム５２ａの各押圧部５２ｃが操作部材５３の各突起部５３ｃによって、押圧され、この押圧部５２ｃが押圧されることによって、円錐状部５２ｄが座屈し、操作者にクリック感を生じさせる。
また、円錐状部５２ｄは小さなストロークに形成されていることから、このクリック感は、悪いものになっている。
【００２１】
また、この操作部材５３の傾倒動作によって、操作部材５３の駆動部５３ｄがスイッチ５５を駆動し、Ａ点への押圧におけるスイッチ５５の切換動作が成される。
このとき、突起部５３ｃの平滑な下面と、押圧部５２ｃの平滑な上面とは、常時、圧接されて密着状態となっているため、この傾倒動作時、突起部５３ｃは、密着状態で押圧部５２ｃを押圧するため円錐状部５２ｄが矢印Ｚ方向に押されながら座屈して、クリック感が悪くなる。
【００２２】
次に、操作部材５３の第２直線Ｙ１上のＡ点への押圧を解除すると、座屈した２個のゴムドーム５２ａの自己復帰力で、操作部材５３は元のケース５１の上壁５１ａに対して平行な位置に復帰する。
【００２３】
次に、図７に示す操作部材５３の第２直線Ｙ１上の右方向（Ｂ点）、及び第１直線Ｘ１上の上・下方向（Ｃ・Ｄ点）の位置を押圧した際の動作は、前述の左方向（Ａ点）の位置の押圧動作と同様であることから、説明は、省略する。
【００２４】
次に、第２のスライド型のスイッチ６０の動作は、操作ツマミ６２の操作によって、スイッチ６０のスライダー６０ａがプリント配線基板５８上をスライドし、このスライダー６０ａのスライドによって、スイッチ６０の接点の切換動作が成される。
【００２５】
また、このスイッチ６０は、電動ウインドミラー装置の左右のウインドミラーの切換に用い、前記スイッチ５５は、左、又は右のウインドミラーの上下・左右方向への切換操作に用いる。
【００２６】
【発明が解決しようとする課題】
上述の多方向スイッチ装置では、２個のゴムドームの円錐状部５２ｄの小さな座屈によって、クリック感を生起することから、充分なクリック感を得ることが出来ないという問題がある。
【００２７】
本発明の多方向スイッチ装置は、上述の問題点を解決し、その目的は、操作者に良好なクリック感を生起することができる多方向スイッチ装置を提供することである。
【００２８】
【課題を解決するための手段】
本発明の多方向スイッチ装置は、ケースと、該ケースに収納されたスイッチと、多方向に傾倒可能で、前記多方向のそれぞれの方向への傾倒動作によって、前記スイッチを切り換え操作するひとつの操作部材と、該操作部材の前記それぞれの方向への傾倒動作によって隣り合ういずれか２つが操作される複数の第１ゴムドーム、及び該隣り合う第１ゴムドームの間に配置される第２ゴムドームとを備え、前記操作部材の前記それぞれの方向への傾倒時、前記いずれか２つの第１ゴムドーム及びその間に位置する前記第２ゴムドームが座屈することにより前記操作部材にクリック感を生じさせるように構成し、更に前記第２ゴムドームの移動可能距離が前記第１ゴムドームの移動可能距離よりも長い距離を有するようにすることによって、前記操作部材を押圧し、前記いずれか２つの第１ゴムドームと前記第２ゴムドームが座屈した後、前記いずれか２つの第１ゴムドームの押圧部の下面が前記ケースに設けた凹部の底面に当接するに至った時も前記第２ゴムドームの押圧部の下面は、前記凹部の底面に当接しないようにしたことである、
また、本発明の多方向スイッチ装置では、それぞれの方向への傾倒時、前記いずれか２つの第１ゴムドーム、さらにその間に位置する前記第２ゴムドームが同時に座屈することである。
かかる構成によって、第１ゴムドームの座屈に、第２ゴムドームの座屈が加わるので充分なクリック感を得ることができ、また、移動可能距離の長い第２ゴムドームとしたので、操作部材を押圧し、２つの第１ゴムドームと第２ゴムドームが座屈した後、２つの第１ゴムドームの押圧部の下面がケースの凹部の底面に当接するに至った時も第２ゴムドームの押圧部の下面は、凹部の底面に当接しないので、操作部材は、２つの第１ゴムドームによってのみ支持されるのでグラグラすることがない良好なクリック感を備えた多方向スイッチ装置を提供できる。
【００２９】
また、かかる構成によって、第１、第２ゴムドームのそれぞれの構成が単純化出来ることから、コスト削減ができ、安価な多方向スイッチ装置を提供できる。
【００３０】
また、本発明の多方向スイッチ装置では、操作部材は、十字状の４方向への傾倒可能で、操作部材の十字状の傾倒動作方向の中間部において、十字状に配置された４個の第１ゴムドームと、隣り合う第１ゴムドームのそれぞれの間に１個づつ配置された４個の第２ゴムドームとを備え、第１ゴムドームと第２ゴムドームとが同一円周上の位置に配置され、操作部材の十字状の４方向のうちの一方向への傾倒動作によってふたつの第１ゴムドームとひとつの第２ゴムドームとが操作されることである。
かかる構成によって、第１、第２ゴムドームの配置が操作部材の支持部の傾動範囲を避けながら、且つ、最小の配置面積となるようにでき、全体として小型の多方向スイッチ装置を提供できる。
【００３１】
また、本発明の多方向スイッチ装置では、操作部材は、十字状の４方向への傾倒で、操作部材の十字状の傾倒動作方向の中間部において、十字状に配置された４個の第１ゴムドームと、隣り合う前記第１ゴムドームのそれぞれの間に１個づつ配置された４個の第２ゴムドームとを備え、それぞれ４個の第２ゴムドームがそれぞれ隣り合う第１ゴムドームを結ぶ直線上に配置され、操作部材の十字状の４方向のうちの一方向への傾倒動作によってふたつの第１ゴムドームとひとつの第２ゴムドームとが操作されることである。
かかる構成によって、第１、第２ゴムドームの動作を均等にできて、操作性の良好な、安価な多方向スイッチ装置を提供できる。
【００３２】
また、本発明の多方向スイッチ装置は、それぞれ４個の第２ゴムドームが４個の第１ゴムドームのそれぞれ中央部の位置に配置されていることである。
かかる構成によって、第１、第２ゴムドームの座屈位置が均一に配置されていることから、操作力が均等で、一層安定した良好なクリック感を得ることができる。
また、本発明の多方向スイッチ装置は、ケースを箱状に形成し、該ケース内に複数のスイッチを位置し、ケース上壁の凹部に操作部材と対向させて第１、第２ゴムドームを配置したことである。
【００３３】
【発明の実施の形態】
以下、本発明の多方向スイッチ装置の図面を説明すると、図１は、本発明の多方向スイッチ装置を示す分解斜視図、図２は、本発明の多方向スイッチ装置を示す平面図、図３は、図２の３ー３線における断面図、図４は、図２の４ー４線における断面図、図５は、本発明の多方向スイッチ装置に係わり、弾性スプリング部材とシート部材とを示す図２の５−５線における断面図である。
【００３４】
合成樹脂材料から成り、箱形のケース１は、略平板状の上壁１ａと、上壁１ａの外周縁の近傍から垂直に延設され、周囲を囲む側壁１ｂと、上壁１ａの左上方側に設けられた略四角形の凹部１ｃと、凹部１ｃの四隅のそれぞれに設けられた溝部１ｄと、凹部１ｃの中央部に設けられた貫通孔１ｅとを有している。
【００３５】
また、この貫通孔１ｅは、十字状の矩形であるように形成され、貫通孔１ｅの外表面部には、円弧状であって、半球状の受け部１ｆが設けられている。
また、略四角形の凹部１ｃの４辺のそれぞれの中央部には、矩形の突出凹部１ｇが設けられている。
【００３６】
また、ケース１内には、上壁１ａからケース１内に垂直に延設された仕切板１ｈが設けられ、この仕切板１ｈによって、ケース１内には、第１収納部１ｉと第２収納部１ｊとが隣り合わせに設けられると共に、第２収納部１ｊ上に位置する上壁１ａには、貫通孔１ｋが設けられている。
【００３７】
合成樹脂材料から成る操作部材５は、略円形であって、操作部５ａと、操作部５ａの外周縁部から略垂直に延設された周縁部５ｂと、操作部５ａの外周縁部の近傍から下方に突出し、４個が十字状のそれぞれの位置に設けられた第１突起部５ｃと、第１突起部５ｃのそれぞれの間の中央の位置に設けられた４個の第２突起部５ｈと、操作部５ａの中央部から下方に突出する四角柱状の駆動部５ｄとを有している。また、四角柱状の駆動部５ｄの中間部の対向する面には、一対の凹部５ｅが設けられ、駆動部５ｄの付け根部には、半球状の凹部を有する支持部５ｆが設けられている。
【００３８】
この操作部材５の駆動部５ｄは、前記ケース１の貫通孔１ｅ内に挿通され、ケース１の受け部１ｆ上に操作部材５の支持部５ｆが載置された状態に保持される。
そして、この操作部材５は、操作部材５の中心を通る第１直線Ｘ１上と、中心を通り、第１直線Ｘ１に直交する第２直線Ｙ１上とである４方向（十字状の多方向）のそれぞれの方向に傾倒動作できるように構成されている。
また、操作部材５の各第１突起部５ｃは、それぞれ第１、第２直線Ｘ１、Ｙ１で挟まれた位置に配設され、各第２突起部５ｈは、それぞれ第１、第２直線Ｘ１、Ｙ１上の位置に配設されている。
【００３９】
弾性ゴム材料から成り、略四角形の弾性スプリング部材２は、十字状の四角にそれぞれ設けられた４個の第１ゴムドーム３と、隣り合う第１ゴムドーム２ａのそれぞれの間の中央の位置に配置された４個の第２ゴムドーム４と、中央部に設けられた円形の貫通孔２ａと、第１ゴムドーム３を保持する第１基台部２ｂと、第２ゴムドーム４を保持する第２基台部２ｃとを有している。また、第１基台部２ｂと第２基台部２ｃとは交互に位置し、貫通孔２ａの周囲に互いに連設されて同一円周上に配設されている。
【００４０】
また、この第１ゴムドーム３は、略円柱状の押圧部３ａと、押圧部３ａを保持する円錐状部３ｂとを有し、第２ゴムドーム４は、略円柱状の押圧部４ａと、押圧部４ａを保持する円錐状部４ｂとを有している。また、各押圧部３ａ、４ａの下面は、各円錐状部３ｂ、４ｂ内に突出して配設され、第１ゴムドーム３の押圧部３ａの下面と円錐状部３ｂの下面との距離は、距離Ｌ１に形成され、第２ゴムドーム４の押圧部４ａの下面と円錐状部４ｂの下面との距離は、前記距離Ｌ１より長い距離である距離Ｌ２（Ｌ１＜Ｌ２）に形成されている。
【００４１】
即ち、操作部材５の傾倒動作による前記第２ゴムドーム４の移動可能距離Ｌ２が前記第１ゴムドーム３の移動可能距離Ｌ１よりも長い距離を有するように形成され、第１、第２ゴムドーム３、４の押圧部３ａ、４ａに押圧力が加えられると、この押圧力によって、各押圧部３ａ、４ａが下方に押圧され、そして各円錐状部３ｂ、４ｂが座屈するようになっている。
【００４２】
ここで、第２ゴムドーム４の距離Ｌ２を第１ゴムドーム３の距離Ｌ１より長い距離であるように形成したことによって、第２ゴムドーム４のストロークが長く、第１ゴムドーム３のクリック感よりも良好なクリック感を得ることが出来るように形成されている。
【００４３】
また、４個の第１ゴムドーム３と４個の第２ゴムドーム４とは、互い違いで、互いに近接した状態で同一円周上の位置に配置され、且つ、４個の第２ゴムドーム４が４個の第１ゴムドーム３のそれぞれ中間部の位置に配置されている。
【００４４】
また、第１基台部２ｂには、第１基台部２ｂの外周縁から下方に突出する突出部２ｃが形成されている。
また、この弾性スプリング部材２は、ケース１の凹部１ｃ内に配設され、この状態のとき、弾性スプリング部材２の突出部２ｃがケース１の溝部１ｄ内に挿入・配置され、これによって、弾性スプリング部材２がケース１に位置決めされる。
【００４５】
そして、この状態のとき、それぞれの４個の第２ゴムドーム４は、前記第１直線Ｘ１上と前記第２直線Ｙ１上とにそれぞれ対向する位置に配設されると共に、それぞれの４個の第１ゴムドーム３は、操作部材５の傾倒動作方向である第１直線Ｘ１と第２直線Ｙ１との間のそれぞれの中間部の位置に配設されている。
【００４６】
そして、この弾性スプリング部材２の第１、第２ゴムドーム３、４は、操作部材５の第１、第２直線Ｘ１、Ｙ１上の十字状の４方向の傾倒動作によって、各円錐状部３ｂ、４ｂが座屈し、この座屈によるクリック感を操作者に生起せしめるように構成されている。
また、この座屈は、ふたつの第１ゴムドーム３と、ひとつのストロークの長い第２ゴムドーム４が座屈することによって、クリック感を操作者に生起せしめる。
【００４７】
ポリエチレン・テレフタレート（ＰＥＴ）材料などの合成樹脂材料から成るシート部材６は、平板状で、円環状に形成され、中心部に円形の孔６ａを有している。そして、このシート部材６の厚さ寸法は、約０．１ｍｍで、表面粗さは、約５μｍ〜１２０μｍであるように形成されている。この表面粗さによって、シート部材６の表面は、密着防止用の粗面であるように形成されている。
【００４８】
このシート部材６は、円形の孔６ａが操作部材５の円環状の取付部５ｆに圧入されてシート部材６が操作部材５に取り付けられている。
また、このシート部材６は、操作部材５の第１、第２突起部５ｃ、５ｈと前記第１、第２ゴムドーム３、４の押圧部３ａ、４ａとの間に位置して、前記操作部材５と前記第１、第２ゴムドーム３、４とによって挟み込まれ、相互間に圧接されている。
【００４９】
この状態を詳述すると、シート部材６は、前記操作部材５の第１、第２突起部５ｃ、５ｈの先端面と前記第１、第２ゴムドーム３、４の各押圧部３ａ、４ａの表面とによって挟み込まれ、相互間に圧接され、前記第１、第２ゴムドーム３、４の各押圧部３ａ、４ａの表面とシート部材６の表面との間で、シート部材６の表面が粗面であることから密着防止が行えることに成り、よって、滑り動作を行わしめるように構成されている。このことから、操作部材５がシート部材６を介して各押圧部３ａ、４ａを押圧する際に、各押圧部３ａ、４ａの表面とシート部材６の表面との間で滑り動作が行われることから、シート部材６によって、各押圧部３ａ、４ａが下方へ垂直方向に押圧できて、各円錐状部３ｂ、４ｂの座屈がスムーズに行われ、この座屈による良好なクリック感を生起せしめる。
【００５０】
合成樹脂材料から成るホルダー７は、略半球状の基部７ａと、基部７ａの中央部に設けられた四角形の貫通孔７ｂと、基部７ａの中央部に対向する一対の弾性爪部７ｃとを有している。
このホルダー７の貫通孔７ｂ内に操作部材５の駆動部５ｄが挿通され、弾性爪部７ｃが駆動部５ｄの凹部５ｅにスナップイン係合され、このスナップイン係合によって、操作部材５がケース１の上壁１ａ上に抜け止めされ、且つ、位置決めされ、配設されている。
【００５１】
また、この状態において、操作部材５は、ケース１の上壁１ａに対して、十字状の４方向である第１直線Ｘ１上と、第２直線Ｙ１上とにおいて傾倒動作できるように取り付けられている。
【００５２】
スライド型のスイッチ８は、合成樹脂材料から成る略矩形のスライダー９と、スライダー９の下面に取り付けられた複数組の可動接点１０と、可動接点１０に対向する位置に設けられたプリント配線基板１１と、プリント配線基板１１上に形成され、可動接点１０が接離する複数組の固定接点１２とから構成されている。
【００５３】
また、スイッチ８のスライダー９は、中央部に四角形の貫通孔９ａと、可動接点１０とコイルバネ１７とを収容する凹部９ｂとを有し、この貫通孔９ａ内には、前記操作部材５の駆動部５ｄが挿通されていると共に、プリント配線基板１１がケース１の下部の開放部を覆うように取り付けられている。そして、前記操作部材５の十字状の４方向への傾倒動作によって、駆動部５ｄが動作され、この駆動部５ｄの動作でスライダー９がプリント配線基板１１に対して水平で、十字状の４方向に駆動され、このスライダー９の駆動によって、固定接点１２上を可動接点１０が接離し、スイッチ８の接点の切換動作をするように構成されている。
そして、このスイッチ８は、ケース１の第１収納部１ｉ内に収納・配置されている。
【００５４】
第２のスライド型のスイッチ１４は、合成樹脂材料から成る略矩形のスライダー１４ａと、スライダー１４ａの下面に取り付けられた複数組の可動接点１４ｂと、可動接点１４ｂに対向する位置に設けられたプリント配線基板１１と、プリント配線基板１１上に形成され、可動接点１４ｂが接離する複数組の固定接点１４ｃとから構成されている。
また、スイッチ１４のスライダー１４ａは、上面から外方に突出する突出部１４ｄと、可動接点１４ｂとコイルバネ１８とを収容する凹部１４ｅとを有している。
【００５５】
合成樹脂材料から成る操作ツマミ１６は、ケース１の上壁１ａの貫通孔１ｋに挿入された状態で、適宜手段によって取り付けられると共に、スイッチ１４が第２収納部１ｊに収納され、この操作ツマミ１６の操作によって、第２のスライド型のスイッチ１４が操作されるように構成されている。
【００５６】
合成樹脂材料から成る底壁部材１３は、底壁１３ａと、底壁１３ａの外周縁の所定の個所から垂直に延設された側壁１３ｂとを有している。この底壁部材１３の底壁１３ａは、プリント配線基板１１の下部に載置され、また、この底壁部材１３は、ケース１の側壁１ｂの開放端部にスナップイン係合などの適宜手段にて取り付けられている。
【００５７】
コネクタ１５は、絶縁性の保持体１５ａと、この保持体１５ａに保持された端子部１５ｂとを有し、この端子部１５ｂがプリント配線基板１１の固定接点１２ａに電気的に接続されており、スイッチ８、１４の接点の切換動作がコネクタ１５を介して外部の電気装置に出力される。
【００５８】
次に、この本発明の多方向スイッチの動作についての図面を説明すると、図６は、本発明の多方向スイッチ装置に係わり、操作部材の傾倒動作を示す断面図である。
先ず、図６に示す操作部材５の第２直線Ｙ１上の左方向（Ａ点）の位置を押圧して、操作部材５を左方向に傾倒動作すると、Ａ点と対向する操作部材５の第２突起部５ｈが、シート部材６を介して、第２ゴムドーム４の押圧部４ａを押圧すると共に、Ａ点を挟んで両側に位置する２個の第１ゴムドーム３、３の各押圧部３ａ、３ａが操作部材５の各第１突起部５ｃによって、シート部材６を介して押圧され、このそれぞれの押圧部４ａ、３ａ、３ａが押圧されることによって、それぞれの円錐状部４ｂ、３ｂ、３ｂが座屈し、操作者に強く、良好なクリック感を生起させる。
また、この座屈は、ふたつの第１ゴムドーム３と、ひとつのストロークの長い第２ゴムドーム４が座屈することによって、良好なクリック感を操作者に生起せしめる。
【００５９】
この動作の際、シート部材６の表面が、密着防止用の粗面に形成されていることから、シート部材６の表面と各押圧部３ａ、４ａの表面とが滑り動作を行うことから、シート部材６によって、各押圧部３ａ、４ａが下方へ垂直方向に押圧できて、操作者に、一層良好なクリック感を生起させることになる。
次に、操作部材５のＡ点への押圧を解除すると、座屈した３個の第１、第２ゴムドーム３、４の自己復帰力で、操作部材５は元のケース１の上壁１ａに対して平行な位置に自己復帰する。
【００６０】
次に、図２に示す操作部材５の第２直線Ｙ１上の右方向（Ｂ点）、及び第１直線Ｘ１上の上・下方向（Ｃ・Ｄ点）の位置を押圧した際の動作、及び押圧解除した際の動作は、前述の左方向（Ａ点）の位置の押圧・解除動作と同様であることから、説明は、省略する。
【００６１】
次に、第２のスライド型のスイッチ１４の動作は、操作ツマミ１６の操作によって、スイッチ１４のスライダー１４ａがプリント配線基板１１上をスライドし、このスライダー１４ａのスライドによって、スイッチ１４の接点の切換動作が成される。
【００６２】
また、このスイッチ１４は、電動ウインドミラー装置の左右のウインドミラーの切換に用い、前記スイッチ８は、左、又は右のウインドミラーの上下・左右方向の角度切換操作に用いる。
【００６３】
なお、本発明の実施の形態では、十字状の４方向に傾倒可能であるように構成したが、４方向に限定されず、多方向に傾倒可能であれば良い。
また、本発明の実施の形態では、４個のスライド型のスイッチと４個の第１、第２ゴムドームとを用いたが、それぞれ４個に限定されない。
【００６４】
また、本発明の実施の形態では、４個の第１ゴムドームと４個の第２ゴムドームとを同一円周上の位置に配置したが、これに限定されず、４個の第２ゴムドームがそれぞれ隣り合う第１ゴムドームを結ぶ直線上に配置しても良い。
【００６５】
また、本発明の実施の形態では、４個の第２ゴムドームが４個の第１ゴムドームのそれぞれ中間部の位置に配置したが、これに限定されず、第２ゴムドームが中間部からズレ、第１ゴムドームに近接した位置に配置しても良い。
【００６６】
【発明の効果】
以上のように、本発明の多方向スイッチ装置は、操作部材の傾倒動作による第２ゴムドームの移動可能距離が第１ゴムドームの移動可能距離よりも長い距離を有し、操作部材の傾倒時、第１、第２ゴムドームが座屈するようにしたことによって、第２ゴムドームの座屈によるクリック感が第１ゴムドームの座屈によるクリック感よりも良好であることから、第１、第２ゴムドームのほぼ同時の座屈による良好なクリック感を備えた多方向スイッチ装置を提供できる。
【００６７】
また、本発明の多方向スイッチ装置では、第１、第２ゴムドームは、それぞれ押圧部と、該押圧部を保持する円錐状部とを有し、前記第２ゴムドームの円錐状部内に位置する押圧部の下面と円錐状部の下面との距離が、第１ゴムドームの円錐状部内に位置する押圧部の下面と円錐状部の下面との距離よりも長い距離を有したことによって、第１、第２ゴムドームのそれぞれの構成が単純化出来ることから、コスト削減ができ、安価な多方向スイッチ装置を提供できる。
【００６８】
また、本発明の多方向スイッチ装置は、それぞれ４個の第２ゴムドームが４個の第１ゴムドームのそれぞれ中間部の位置に配置されていることによって、第１、第２ゴムドームの座屈位置が均一に配置されていることから、一層安定した良好なクリック感を得ることができる。
【図面の簡単な説明】
【図１】本発明の多方向スイッチ装置を示す分解斜視図である。
【図２】本発明の多方向スイッチ装置を示す平面図である。
【図３】図２の３ー３線における断面図である。
【図４】図２の４ー４線における断面図である。
【図５】本発明の多方向スイッチ装置に係わり、弾性スプリング部材とシート部材とを示す図２の５ー５線における断面図である。
【図６】本発明の多方向スイッチ装置に係わり、操作部材の傾倒動作を示す断面図である。
【図７】従来の多方向スイッチ装置を示す平面図である。
【図８】図７の８ー８線における断面図である。
【図９】従来の多方向スイッチ装置に係わり、弾性スプリング部材を示す図７の９ー９線における断面図である。
【図１０】図７の１０ー１０線における断面図である。
【符号の説明】
１    ケース
２    弾性スプリング部材
２ａ  貫通孔
３    第１ゴムドーム
３ａ  押圧部
３ｂ  円錐状部
４    第２ゴムドーム
４ａ  押圧部
４ｂ  円錐状部
５    操作部材
５ｄ  駆動部
６    シート部材
８    スイッチ
１０  可動接点
１１  プリント配線基板
１２  固定接点
１３  底壁部材
【図１】
0003973367.tif 000002
【図２】
0003973367.tif 000003
【図３】
0003973367.tif 000004
【図４】
0003973367.tif 000005
【図５】
0003973367.tif 000006
【図６】
0003973367.tif 000007
【図７】
0003973367.tif 000008
【図８】
0003973367.tif 000009
【図９】
0003973367.tif 000010
【図１０】
0003973367.tif 000011